(57)【要約】      （修正有）【課題】液体（ビール）ディスペンサの消費電力の削減効果の向上を図るうえで必要となるコック操作の的確な検知を、既存の液体ディスペンサの構造に対してより簡単に施しうる改造により実現する。【解決手段】コックレバーに内蔵されたコックレバー基板１は、コックレバーの動きを検知する加速度センサ１２と、加速度センサによる検知結果に応じた信号を外部へ出力する無線ユニット１３と、を備える。【選択図】図４
2015000735.tif 000002
【特許請求の範囲】
【請求項１】
液体ディスペンサのコックを操作するためのコック操作部材において、
当該コック操作部材の動きを検知する検知手段と、
上記検知手段による検知結果に応じた信号を外部へ出力する出力手段と、
を備えることを特徴とするコック操作部材。
【請求項２】
上記出力手段は、無線通信により上記信号を外部へ出力することを特徴とする請求項１に記載のコック操作部材。
【請求項３】
上記検知手段は、加速度センサ又はジャイロセンサからなることを特徴とする請求項１又は２に記載のコック操作部材。
【請求項４】
上記検知手段による検知履歴に応じた表示を行う表示手段をさらに備えることを特徴とする、請求項１から３の何れか１項に記載のコック操作部材。
【請求項５】
請求項１から４の何れか１項に記載のコック操作部材における上記出力手段からの信号を入力として受け付ける入力手段と、
電力が入力される電力入力部と、
電力を外部へ出力する電力出力部と、
上記入力手段が受け付けた信号に基づいて、上記電力入力部に入力された電力を制御して上記電力出力部から出力させる電力制御手段と、
を備えることを特徴とする電力制御装置。
【請求項６】
請求項１から４の何れか１項に記載のコック操作部材と、
請求項５に記載の電力制御装置と、
を備えることを特徴とする液体ディスペンサ制御システム。
【請求項７】
上記出力手段と上記入力手段とは無線通信により上記信号の送受信を行うとともに、上記信号には予め定めた識別子データが含まれることを特徴とする請求項６に記載の液体ディスペンサ制御システム。
【請求項８】
請求項６又は７に記載の液体ディスペンサ制御システムと、
熱交換媒体を貯蔵する貯蔵槽と、
上記貯蔵槽内の熱交換媒体の熱量を制御する熱量制御装置と、
上記貯蔵槽内を経て上記コックへと至る中空管と、
上記貯蔵槽内の熱交換媒体を撹拌する撹拌装置とを備え、
上記撹拌装置は、上記電力出力部から出力される電力により駆動されることを特徴とする液体ディスペンサ。
【発明の詳細な説明】
【技術分野】
【０００１】
本発明は、ビールサーバなどの液体ディスペンサ、及びその構成部材に関する。
【背景技術】
【０００２】
従来、ビールや清涼飲料などの飲料を低温に冷却し、コックを介してジョッキ等の容器に適量ずつ注ぎ出すようにした液体ディスペンサが利用されている。この液体ディスペンサは、冷却水を貯蔵する水槽と、水槽内に配置された冷媒蒸発管及び飲料管と、水槽内の冷却水を撹拌する撹拌装置と、冷凍ユニットとを備えている。
【０００３】
冷媒蒸発管の内側には、冷凍ユニットによって圧縮かつ冷却された冷媒が通過している。その冷媒が冷媒蒸発管の内側で蒸発することにより、冷媒蒸発管の外側周辺の冷却水が冷却され、さらには一部凍結する。
【０００４】
また、飲料管の内側には、外部から供給される飲料が通過している。この飲料は、飲料管の外側周辺の冷却水との熱交換により冷却された後、上記コックから注出される。
【０００５】
撹拌装置は、上記熱交換を効率的に行うために、水槽内の冷却水を撹拌するためのものである。
【０００６】
特許文献１及び２には、上記のような構成の液体ディスペンサに関して、消費電力を削減するための改良が提案されている。
【０００７】
すなわち、特許文献１に開示された技術は、液体ディスペンサに、撹拌装置（アジテータ）の駆動モータの作動を制御する制御回路として、通電量の少ない低速回転をさせる低速回路と、通電量の多い高速回転をさせる高速回路とを設け、さらに、機体の前面に近づく人を感知する接近センサを設けるものである。そして、同技術は、接近センサが機体前面に立ってコックを操作する人を感知すると、駆動モータの制御回路が高速回路に切り替わり、接近センサが人を感知しなくなると、駆動モータの制御回路が低速回路に切り替わるように制御することとしている。
【０００８】
また、特許文献２にも、特許文献１に開示された技術と類似する技術が開示されている。
【０００９】
一方、消費電力の削減を目的としたものではないが、コックの操作を検知するために、コックに検知スイッチを設けた技術が特許文献３に開示されている。
【先行技術文献】
【特許文献】
【００１０】
【特許文献１】特開平２００３−９７８７４号公報（２００３年４月３日公開）
【特許文献２】特開平２０１２−８６８８３号公報（２０１２年５月１０日公開）
【特許文献３】特開平２００６−５１９８８号公報（２００６年２月２３日公開）
【発明の概要】
【発明が解決しようとする課題】
【００１１】
特許文献１又は２に開示された技術では、接近センサによる感知、すなわち、機体の前面に人が近づいたことの感知を、飲料の注出操作が行われるものとみなして、撹拌装置の駆動モータの制御回路を高速回路に切り替えるという制御を行っていることになる。
【００１２】
しかしながら、機体の前面に人が近づくことは、必ずしも飲料の注出操作のためとはいえない。例えば、何らかの作業スペースや通路に面して液体ディスペンサの機体が配置されている場合には、飲料の注出操作ではなく、他の作業や通路の通過のために人が機体の前面に近づくことがある。
【００１３】
そのため、特許文献１又は２に開示された技術では、飲料の注出操作が行われないにもかかわらず、不必要に駆動モータの制御回路を高速回路に切り替えてしまうことがあり、消費電力の削減効果が十分ではないという問題がある。
【００１４】
なお、液体ディスペンサは狭い厨房内に設置されることが多いことから、上記のように何らかの作業スペースや通路に面して液体ディスペンサの機体が配置されている場合も多いため、上記の問題は決して軽視できないものである。
【００１５】
上記の問題を解決するためには、上記接近センサに代えて、上記特許文献３に開示されているように、コックの操作を検知するための検知スイッチをコックに設けるよう、特許文献１又は２に開示された液体ディスペンサを改造することも考えられる。
【００１６】
この改造は、液体ディスペンサにおけるコック周辺の構造を最初から設計し直すことを前提とすれば、採用し得るものではある。
【００１７】
しかしながら、上記改造は、コックに検知スイッチを設けるものであることから、複雑なものとなりがちである。そのため、上記改造は、既に店舗等において使用されている液体ディスペンサに対して施すには、好適とはいえない。また、上記改造は、新たに製造する液体ディスペンサに対して設計段階で施す場合においても、コック周辺の設計変更をできるだけ小さくしたいときなどには、好適とはいえない。なお、以下においては、前者の改造を前提として説明するが、本発明の効果は、前者の改造においてのみ発揮されるものではなく、後者の改造についても同様に発揮されるものである。
【００１８】
本発明は、以上の点を課題としてなされたものであり、その目的は、液体ディスペンサの消費電力の削減効果の向上を図るうえで必要となるコック操作の的確な検知を、既存の液体ディスペンサの構造に対してより簡単に施しうる改造により実現することにある。
【課題を解決するための手段】
【００１９】
上記の課題を解決するために、本発明に係るコック操作部材は、当該コック操作部材の動きを検知する検知手段と、上記検知手段による検知結果に応じた信号を外部へ出力する出力手段と、を備える。
【００２０】
上記コック操作部材は、液体ディスペンサのコックを操作するためのものであり、ユーザが手で握って操作するタイプのもの、コップ等の容器を押し当てて操作するタイプのものなど種々のタイプのものが考えられ、またその形状も、レバー状のもの、蛇口のハンドルのような形状のものなど種々のものが考えられる。
【００２１】
上記の構成では、コック操作部材に、当該コック操作部材の動きを検知する検知手段と、その検知結果に応じた信号を外部へ出力する出力手段とが備わっている。そのため、既存の液体ディスペンサに設けられているコックレバー等を、上記コック操作部材に取り替えるだけの簡単な改造により、コック操作の的確な検知を実現することができる。
【００２２】
なお、上記コック操作部材のコックへの取付構造は、ねじ込みなどの簡単に脱着できる構造であることが望ましい。
【００２３】
また、本発明に係るコック操作部材では、上記出力手段は、無線通信により上記信号を外部へ出力してもよい。
【００２４】
有線通信による出力手段としては電気配線が考えられるが、これを採用する場合には電気配線の取り回しが必要となるため、改造作業がやや複雑化したり、美観を損なったりするおそれがある。
【００２５】
これに対して、無線通信による出力手段であれば、上記のような問題を回避しやすい。
【００２６】
また、本発明に係るコック操作部材では、上記検知手段は、加速度センサ又はジャイロセンサからなってもよい。
【００２７】
検知手段はコック操作部材に内蔵されていることが望ましいが、上記の構成では、それが容易に実現できる。
【００２８】
また、本発明に係るコック操作部材は、上記検知手段による検知履歴に応じた表示を行う表示手段をさらに備えてもよい。
【００２９】
上記の構成では、検知履歴に応じた表示により液体ディスペンサから注出された液体の量などを推し量ることが可能となる。その結果、注出される液体の残量管理や発注計画などを的確に行うことができるようになる。なお、検知履歴としては、検知回数や検知されている期間の累積時間などが考えられる。
【００３０】
また、本発明に係る電力制御装置は、上記コック操作部材における上記出力手段からの信号を入力として受け付ける入力手段と、電力が入力される電力入力部と、電力を外部へ出力する電力出力部と、上記入力手段が受け付けた信号に基づいて、上記電力入力部に入力された電力を制御して上記電力出力部から出力させる電力制御手段と、を備える。
【００３１】
上記の構成では、液体ディスペンサに備えられる撹拌装置などへの電力供給経路に当該電力制御装置を介在させることにより、コック操作部材における検知手段の検知結果に応じて撹拌装置などへの電力供給を制御できるようになる。その結果、液体ディスペンサの消費電力の削減効果の向上を図ることができる。
【００３２】
撹拌装置などへの電力供給経路に当該電力制御装置を介在させるには、次のようにすればよい。電力供給配線の途中には、撹拌装置などの故障時の交換を容易にするために、コネクタを設けて当該電力供給配線を途中で切り離すことができるようになっている場合がある。この場合には、そのコネクタを切り離して、電力供給側のコネクタを上記電力入力部へ接続し、電力消費側のコネクタを上記電力出力部へ接続すればよい。また、電力供給配線の途中にコネクタが設けられていない場合でも、電力供給配線の途中を切断し、その電力供給側を上記電力入力部へ接続し、電力消費側を上記電力出力部へ接続すればよい。何れの場合も、改造作業は容易なものとなる。
【００３３】
また、本発明に係る液体ディスペンサ制御システムは、上記コック操作部材と、上記電力制御装置と、を備えて構成される。
【００３４】
また、液体ディスペンサ制御システムでは、上記出力手段と上記入力手段とは無線通信により上記信号の送受信を行うとともに、上記信号には予め定めた識別子データが含まれてもよい。
【００３５】
上記構成により、ビール注出口、コック、コックレバーが複数備わっている場合であっても、適切な制御が可能となる。
【００３６】
また、本発明に係る液体ディスペンサは、上記液体ディスペンサ制御システムと、熱交換媒体を貯蔵する貯蔵槽と、上記貯蔵槽内の熱交換媒体の熱量を制御する熱量制御装置と、上記貯蔵槽内を経て上記コックへと至る中空管と、上記貯蔵槽内の熱交換媒体を撹拌する撹拌装置とを備え、上記撹拌装置は、上記電力出力部から出力される電力により駆動される。
【発明の効果】
【００３７】
本発明では、コック操作部材に、当該コック操作部材の動きを検知する検知手段と、その検知結果に応じた信号を外部へ出力する出力手段とが備わっている。そのため、既存の液体ディスペンサに設けられているコックレバー等を、上記コック操作部材に取り替えるだけの簡単な改造により、コック操作の的確な検知を実現することができる。
【００３８】
すなわち、本発明は、液体ディスペンサの消費電力の削減効果の向上を図るうえで必要となるコック操作の的確な検知を、既存の液体ディスペンサの構造に対してより簡単に施しうる改造により実現することができるという効果を奏する。
【図面の簡単な説明】
【００３９】
【図１】本発明の実施形態１に係るビールディスペンサの構成を示す図である。
【図２】図１のビールディスペンサが備えるコックレバーの外観を示す斜視図である。
【図３】図２のコックレバーの傾き動作を示す図であり、（ａ）は斜視図、（ｂ）は側面図である。
【図４】図１のビールディスペンサを制御するビールディスペンサ制御システムの構成を示すブロック図である。
【図５】図４のビールディスペンサ制御システムにおけるコックレバー基板側の処理の流れを示すフローチャートである。
【図６】図４のビールディスペンサ制御システムにおける電力制御基板側の処理の流れを示すフローチャートである。
【図７】図２のコックレバーが備える液晶ディスプレイの表示内容を示す平面図である。
【図８】本発明の実施形態２に係る複数のコックレバーを備えたビールディスペンサの構成を示す図である。
【図９】本発明の実施形態２に係る複数のビールディスペンサが互いに近傍に配置されている状態を示す図である。
【発明を実施するための形態】
【００４０】
以下、本発明の実施形態について、詳細に説明する。なお、以下の実施形態では、本発明の液体ディスペンサの一形態であるビールディスペンサ（「ビールサーバ」と称されることもある。）について説明することとする。なお、ビールディスペンサは、一般には、温度が５℃以上、４０℃以下である環境にて使用される。
【００４１】
ただし、本発明の液体ディスペンサはビールディスペンサに限るものではない。例えば、扱う液体としては、ビール以外に、飲料水、清涼飲料などであってもよい。また、ビールディスペンサは、対象物であるビールを冷却するためのものであるが、本発明の液体ディスペンサは、対象物を加熱や保温するためのものであってもよい。
【００４２】
また、本発明の各構成要件と本実施形態における各構成要素との対応関係は、次のとおりである。コック操作部材はコックレバー４７に、検知手段は加速度センサ１２に、出力手段は無線ユニット１３に、表示手段は液晶ディスプレイ１４に、入力手段は無線ユニット２３に、電力制御手段は電力制御部２２に、電力制御装置は電力制御基板２・２ａ・２ｂに、液体ディスペンサ制御システムはビールディスペンサ制御システム３に、熱交換媒体は冷却水に、貯蔵槽は水槽４１に、熱量制御装置は冷凍ユニット４２に、中空管はビール冷却管４３に、液体ディスペンサはビールディスペンサ４・４ａ・４ｂにそれぞれ対応している。
【００４３】
〔実施形態１〕
本発明の第一実施形態について、図１〜図７に基づいて説明すれば、以下のとおりである。
【００４４】
＜ビールディスペンサの構成＞
ビールディスペンサ４は、チューブ５３を介して、ビールを貯蔵するビール樽５１に接続されている。また、ビール樽５１は、別のチューブ５４を介して炭酸ガスボンベ５２に接続されている。そして、ビール樽５１に貯蔵されたビールは、炭酸ガスボンベ５２から供給される炭酸ガスに押し出され、ビールディスペンサ４に供給される。
【００４５】
図１は、本実施形態に係るビールディスペンサ４の構成を示す図である。図１に示すように、ビールディスペンサ４は、コックレバー４７と、本体部４０とを備えている。そして、ビール樽５１に貯蔵されたビールは、ビール供給口Ｐｉｎを介して、ビールディスペンサ４に供給され、後述する冷却機構により冷却された後、ビール注出口Ｐｏｕｔから注出されグラスＢなどに注がれて、ビールディスペンサ４のユーザに提供される。ここで、コックレバー４７は、ビール注出口Ｐｏｕｔ付近に設けられている。そして、ユーザは、コックレバー４７を操作することにより、ビールディスペンサ４から注出されるビールの量を調節する。
【００４６】
（冷却機構）
ビールディスペンサ４は、その上段に、冷却水を貯蔵する水槽４１を備えるとともに、水槽４１の内部に螺旋状に設けられた蒸発管Ｐと、水槽４１の下方に配置され、圧縮機や凝縮器、凝縮器を冷却する冷却ファンなどから構成される冷凍ユニット４２を備えている。そして、冷媒が、冷凍ユニット４２と、蒸発管Ｐとを循環しており、該冷媒は、蒸発管Ｐを通過する際に蒸発し、水槽４１に貯蔵された冷却水を、熱交換により冷却する。
【００４７】
また、ビールディスペンサ４は、一端がビール供給口Ｐｉｎに接続され、他端がビール注出口Ｐｏｕｔに接続されるとともに、それらの中間部分が水槽４１内部の蒸発管Ｐの内側に螺旋状に設けられた、例えばステンレス鋼からなるビール冷却管４３を備えている。そして、ビール供給口Ｐｉｎから供給されたビールは、ビール冷却管４３の下側から上側に送出される。ここで、ビールは、ビール冷却管４３を通過する間に、冷却水によって、所定の温度まで冷却される。冷却されたビールは、ビール注出口Ｐｏｕｔを介して、ユーザに提供される。
【００４８】
（ビールの温度制御）
ビールディスペンサ４から注出されるビールの温度は、その注出スピードにかかわらず、一定範囲（望ましくは４℃以上、６℃以下。）に保たれることが望まれる。そのために、ビールディスペンサ４は、蒸発管Ｐの周囲の冷却水を凍結させ、一定量の氷を蓄える（蓄氷）とともに、凍結していない冷却水を撹拌するように構成されている。
【００４９】
こうすることにより、ビール冷却管４３の内部を多量のビールが通過して冷却水の温度が上昇しそうな状況下でも、氷が溶融することによって冷却水の温度上昇を効率的に抑制することができる。
【００５０】
蓄氷は、冷凍ユニット４２の動作を制御することによって実現される。具体的には、水槽４１内の蒸発管Ｐ付近に設けられた一対の電極４５間の通電状態を監視することにより、それら電極間が凍結しているか否かを判断し、凍結していない場合は冷凍ユニット４２を動作させ、凍結している場合は冷凍ユニット４２を停止させるようになっている。
【００５１】
また、冷却水の撹拌は、撹拌装置４４によって行われる。撹拌装置４４は、水槽４１内に設けられた撹拌翼４９と、撹拌翼４９を回転させる撹拌モータＭ（非図示）と、撹拌モータＭの回転を撹拌翼４９へ伝達する撹拌シャフト５０とを備えている。
【００５２】
上記撹拌モータＭは、消費電力が比較的大きいことから、常時駆動させておくとビールディスペンサ４のランニングコストを増大させてしまうことになる。そこで、本ビールディスペンサ４では、後述するように撹拌モータＭの駆動を適切に制御することとしている。以下では、ビールディスペンサ４が備える各構成について詳細に説明する。
【００５３】
（コック及びコックレバー）
図２は、ビールディスペンサ４のコック４６及びコックレバー４７の外観を示す斜視図である。図２に示すように、コックレバー４７は、後述する液晶ディスプレイ（ＬＣＤ；Liquid Crystal Display）１４やボタン１６を備え、ビールディスペンサ４の外面に突出したビール注出口Ｐｏｕｔ付近に設けられたコック（ドラフトコックやタップともいう。）４６に取り付けられており、コック４６の開閉動作を操作するためのものである。
【００５４】
コック４６は、図３の（ａ）、（ｂ）に示すように、コックレバー４７が手前側Ｆ（Ｆｏｒｗａｒｄ）へ傾けられるとビールを注出し、奥側Ｂ（Ｂａｃｋ）へ傾けられるとビールの泡を放出し、傾きなしの中立状態（中心軸の位置）ではビールの注出及び泡の放出を停止するようになっている。
【００５５】
コックレバー４７のコック４６への取付構造は、一方に雄ねじが、他方に雌ねじが形成されており、ねじ込みにより取り付けられるようになっている。これにより、コックレバー４７をコック４６に対して簡単に脱着できる。
【００５６】
コックレバー４７は、ユーザが手で握って操作するタイプのレバー状のものである。しかしながら、コックレバー４７として、コップ等の容器を押し当てて操作するタイプのものなども考えられ、またその形状も、蛇口のハンドルのような形状のものなども考えられる。
【００５７】
（コックレバー基板）
コックレバー４７は、図４に示すコックレバー基板１を内蔵している。コックレバー基板１は、ＣＰＵ１１と、加速度センサ１２と、無線ユニット１３と、液晶ディスプレイ１４と、ＥＥＰＲＯＭ（登録商標；Electrically Erasable and Programmable Read Only Memory）１５と、ボタン１６と、電源１７とを備えている。
【００５８】
ＣＰＵ１１は、コックレバー基板１における各種の処理を行うものであり、その処理内容については後述する。
【００５９】
加速度センサ１２は、コックレバー４７の傾きを検知し、その検知結果を傾き検知信号としてＣＰＵ１１に対して出力するものである。
【００６０】
無線ユニット１３は、ＣＰＵ１１の指示に基づく信号を電波信号として発信し、また、後述する電力制御基板２に備えられた無線ユニット２３の発信する電波信号を受信してＣＰＵ１１へ伝達するためのものである。無線ユニット１３が利用する無線通信方式としては、ＺｉｇＢｅｅ（登録商標；ＩＥＥＥ ８０２．１５．４）やＢｌｕｅｔｏｏｔｈ（登録商標）とすることができるが、この構成に限定されるわけではない。なお、ＣＰＵ１１と無線ユニット１３とは、１つのモジュールとして一体化されていてもよい。また、ＣＰＵ２１と無線ユニット２３とも、１つのモジュールとして一体化されていてもよい。
【００６１】
液晶ディスプレイ１４は、その表示面がコックレバー４７の外側に露出しており、ユーザに対して各種の表示を行うものである。液晶ディスプレイ１４の表示内容は図７に示すとおりであり、その詳細は後述する。
【００６２】
ＥＥＰＲＯＭ１５は、ＣＰＵ１１が実行する各種プログラムや、ＣＰＵ１１の処理において用いられる各種パラメータ等を記憶するためのものである。
【００６３】
ボタン１６は、液晶ディスプレイ１４の表示の切り替えや、ＥＥＰＲＯＭ１５に記憶されたパラメータのリセットなどを行うためのものである。
【００６４】
電源１７は、コックレバー基板１に備えられた各要素に対して電力を供給するためのものであり、電池によって構成されている。電源１７として電池を採用することにより、電源１７を小型化でき、コックレバー４７に容易に内蔵することができるようになる。
【００６５】
この電池は、コックレバー基板１に備えられた各要素を半年以上動作できることが望ましい。このことを、小型、すなわち容量の小さい電池により実現するために、コックレバー基板１の回路や、ＣＰＵ１４により処理されるソフトウェアを間欠動作させることが望ましい。これによって、上記電池が小型であっても、コックレバー基板１に備えられた各要素を半年以上動作させることができるようになる。
【００６６】
（電力制御基板）
コックレバー基板１は、搭載する無線ユニット１３を介して、図４に示す電力制御基板２と無線通信を行う。この電力制御基板２は、図２に示すように、ビールディスペンサ４の本体部４０内に搭載されている。
【００６７】
電力制御基板２は、ＣＰＵ２１と、電力制御部２２と、無線ユニット２３と、発光ダイオード（ＬＥＤ；Light Emitting Diode）２４と、ＥＥＰＲＯＭ（登録商標）２５と、ボタン２６と、電力入力部２７と、電力出力部２８とを備えている。
【００６８】
ＣＰＵ２１は、電力制御基板２における各種の処理を行うものであり、その処理内容については後述する。
【００６９】
電力制御部２２は、ＣＰＵ２１からの指示に基づき、電力入力部２７と電力出力部２８との間の導通と非導通とを制御するためのものである。なお、電力制御部２２は、電力入力部２７から電力出力部２８へ伝達する電力を段階的に変更できるものであってもよい。
【００７０】
電力入力部２７は、ビールディスペンサ４が搭載する電源ユニット４８から供給される電力の入力を受け付ける部分である。電力入力部２７に入力された電力の一部は、電力制御基板２に備えられた各要素を動作させるために用いられ、他は電力制御部２２の制御に基づき電力出力部２８へ伝達される。
【００７１】
電力出力部２８は、電力制御部２２の制御に基づき伝達された電力を撹拌装置４４の撹拌モータＭへ出力するためのものである。
【００７２】
無線ユニット２３は、コックレバー基板１に備えられた無線ユニット１３の発信する電波信号を受信してＣＰＵ２１へ伝達し、また、ＣＰＵ２１の指示に基づく信号を電波信号として発信するためのものである。無線ユニット２３が利用する無線通信方式としては、無線ユニット１３に対応しておればよく、ＺｉｇＢｅｅ（登録商標；ＩＥＥＥ ８０２．１５．４）やＢｌｕｅｔｏｏｔｈ（登録商標）とすることができるが、この構成に限定されるわけではない。
【００７３】
発光ダイオード２４は、ＣＰＵ２１の指示に基づき発光又は非発光するものであり、発光することにより電力制御基板２が正常に動作していることをユーザに対して示すためのものである。
【００７４】
ＥＥＰＲＯＭ２５は、ＣＰＵ２１が実行する各種プログラムや、ＣＰＵ２１の処理において用いられる各種パラメータ等を記憶するためのものである。
【００７５】
ボタン２６は、電力入力部２７と電力出力部２８との間の導通と非導通とを強制的に切り替えるためのものである。このボタン２６は、コックレバー基板１、電力制御基板２が何らかの理由（故障など）により正常に動作しなくなった場合に、手動による撹拌装置４４のＯＮ／ＯＦＦ切り替えに用いられる。
【００７６】
（ビールディスペンサ制御システム）
上述したコックレバー基板１及び電力制御基板２により、ビールディスペンサ制御システム３が構成される。このビールディスペンサ制御システム３の動作について以下に説明する。
【００７７】
まず、図５のフローチャートに基づき、コックレバー基板１におけるビールの注出開始及び終了の検知に係る処理の流れについて説明する。
【００７８】
まず、ＣＰＵ１１は、加速度センサ１２の出力する傾き検知信号を取得し（ステップＳ１）、取得した傾き検知信号の傾きが注出側への傾きか否かを判断する（ステップＳ２）。ここで、注出側への傾きとは、コックレバー４７の傾きであって、それを操作するユーザから見て手前側への傾き（図３におけるＦの向き。）を意味する。
【００７９】
ＣＰＵ１１は、ステップＳ２において、注出側への傾きではないと判断すると、ステップＳ１からの処理を繰り返す。一方、ＣＰＵ１１は、ステップＳ２において、注出側への傾きであると判断すると、ＥＥＰＲＯＭ１５において記憶している注出回数カウンタをインクリメントし（ステップＳ３）、さらに無線ユニット１３へ注出開始信号を送信するよう指示する（ステップＳ４）。この指示を受けた無線ユニット１３は、ビールの注出が開始されたことを示す注出開始信号を送信する。
【００８０】
次にＣＰＵ１１は、改めて加速度センサ１２の出力する傾き検知信号を取得し（ステップＳ５）、取得した傾き検知信号の傾きが解消されたか否かを判断する（ステップＳ６）。なお、この判断においては、傾き検知信号の傾きが上記奥側（図３におけるＢの向き。）を示している場合も、傾きは解消されたものとみなす。
【００８１】
ＣＰＵ１１は、ステップＳ６において、傾きが解消されていないと判断すると、ステップＳ５からの処理を繰り返す。一方、ＣＰＵ１１は、ステップＳ６において、傾きが解消されたと判断すると、無線ユニット１３へ注出終了信号を送信するよう指示する（ステップＳ７）。なお、この後、液晶ディスプレイ１４のバックライトを一定時間点灯させる処理が実施されてもよい。前者の指示を受けた無線ユニット１３は、ビールの注出が終了されたことを示す注出終了信号を送信する。
【００８２】
ＣＰＵ１１は、以上の処理を周期的に行うことにより、ビールの注出開始及び終了を適時に把握し、それらを電力制御基板２側へ伝達させるための処理等を遅滞なく行っている。なお、ＣＰＵ１１は、コックレバー４７が奥側へ傾けられても、注出回数カウンタのインクリメントや注出開始信号の送信指示は行わない。
【００８３】
次に、図６のフローチャートに基づき、電力制御基板２における撹拌装置４４へ供給する電力の制御に係る処理の流れについて説明する。
【００８４】
まず、ＣＰＵ２１は、無線ユニット２３からの信号を受信するまで待機する（ステップＳ１１）。なお、無線ユニット２３は、コックレバー基板１の無線ユニット１３から注出開始信号又は注出終了信号を受信すると、それをＣＰＵ２１へ伝達するようになっている。
【００８５】
ＣＰＵ２１は、ステップＳ１１において、無線ユニット２３からの信号が伝達されると、その信号が注出開始信号であるか、注出終了信号であるかを判断する（ステップＳ１２）。
【００８６】
ＣＰＵ２１は、ステップＳ１２において、受信した信号が注出開始信号であると判断すると、電力制御部２２へＯＮ指示を行う（ステップＳ１３）。この指示を受けた電力制御部２２は、電力入力部２７と電力出力部２８との間を導通させ、電力入力部２７へ入力されている電力を電力出力部２８を介して撹拌装置４４の撹拌モータＭ側へ出力させる。
【００８７】
一方、ＣＰＵ２１は、ステップＳ１２において、受信した信号が注出終了信号であると判断すると、一定時間が経過するのを待って（ステップＳ１４）、電力制御部２２へＯＦＦ指示を行う（ステップＳ１５）。この指示を受けた電力制御部２２は、電力入力部２７と電力出力部２８との間の導通を切断し、撹拌装置４４の撹拌モータＭ側への電力出力を停止させる。
【００８８】
なお、注出終了信号を受けてから電力制御部２２へＯＦＦ指示を行うまでに一定時間が経過するのを待つこととしている理由は、ビールの注出により生じたビール冷却管４３周辺の水温上昇を低減し、水槽４１内の温度分布を均一に近づけることにより、次回の注出開始時に備えてビール冷却管４３内に滞留しているビールの温度を予め下げておくためである。本実施形態では、上記一定時間を３０秒に設定しているが、この設定は水槽４１の容量等によって適宜設定すればよい。
【００８９】
ＣＰＵ２１は、以上の処理を周期的に行うことにより、注出開始信号及び注出終了信号に応じた電力供給のＯＮ／ＯＦＦの処理等を行っている。
【００９０】
なお、ビールディスペンサ４が設置されている店舗の営業時間外など、ビールの注出操作が長時間行われないような場合に、定期的に撹拌装置４４を駆動させるようになっていてもよい。そのためには、ＣＰＵ２１が前回電力制御部２２へＯＦＦ指示を行ってからの経過時間を計測し、その経過時間が予め定めた長さを超えた場合に、電力制御部２２へＯＮ指示を行い、その後さらに予め定めた時間経過後に電力制御部２２へＯＦＦ指示を行うようになっておればよい。
【００９１】
以上のような処理による消費電力の削減効果を確認する実験を最も展開台数の多い日販３０リットル相当のビールディスペンサを用いて行った。具体的には、ビールディスペンサ４が、規定量の蓄氷を完了した状態（冷凍ユニット４２の停止状態）から、２４時間の消費電力を計測することとし、その間に、１回当たり５リットルの注出を１時間間隔で計６回（合計３０リットルの注出）を行った。この注出は、６時間の営業時間において１時間当たり１杯５００ミリリットルのグラス１０杯の注出が行われることを想定したものである。その結果、撹拌装置４４の撹拌モータＭを常時稼働させた場合と比較して、ビールディスペンサ全体の電力消費量を３６％低減することができた。
【００９２】
なお、発明者らは、数十万店舗（居酒屋やビアホールなど）において、既に設置されたビールディスペンサのうち少なくとも１５万台以上のビールディスペンサに対してコックレバー４７及び電力制御基板２を用いた改造を施し得ることを見出している。このように、既存のビールディスペンサを入れ替えるのではなく、その既存のビールディスペンサに対する簡単な改造により電力消費量を削減できることは、トータルとして莫大な電力消費を削減できることに繋がる。
【００９３】
（液晶ディスプレイの表示内容）
コックレバー４７が備える液晶ディスプレイ１４の表示内容について、図７に基づき説明する。
【００９４】
液晶ディスプレイ１４は、注出カウント数又は削減された電力を３桁の数値として示す数値表示領域ａを有するとともに、数値表示領域ａに表示される数値が注出カウント数である場合のその単位「杯」を表示する単位表示アイコンｂと、数値表示領域ａに表示される数値が削減された電力である場合のその単位「ｋＷｈ」を表示する単位表示アイコンｃと、撹拌装置４４の撹拌モータＭが冷却水を撹拌中であることを点滅により示す撹拌中アイコンｄと、撹拌モータＭを停止させて消費電力を削減中であることを点灯により示すＥＣＯモード中アイコンｅと、電源１７を構成する電池の交換時期であることを点滅により示す電池交換アイコンｆを有する。
【００９５】
なお、単位表示アイコンｃについては、「ｋＷｈ」に代えて「％」としてもよい。また、上記各アイコンの一部又は全部を発光ダイオードに置き換え、その発光ダイオードの点滅により上述した事項を示すようにしてもよい。
【００９６】
液晶ディスプレイ１４による上記表示は、何れもＣＰＵ１１によって制御される。なお、撹拌中アイコンｄやＥＣＯモード中アイコンｅの表示は、電力制御基板２側から送られてくる撹拌モータＭの動作状態を示す信号に基づき、ＣＰＵ１１が指示するようになっている。
【００９７】
数値表示領域ａにおいて表示する数値の切り替えやリセットは、コックレバー基板１が備えるボタン１６の操作によって実行される。
【００９８】
具体的には、ボタン１６が短く押下される毎に、液晶ディスプレイ１４の表示モードは、注出カウント数表示モードと削減電力表示モードとの間で交互に切り替えられる。
【００９９】
注出カウント数表示モードでは、単位表示アイコンｂの「杯」が表示されるとともに、数値表示領域ａにはＥＥＰＲＯＭ１５に記憶されている注出回数カウンタの値が表示される。このとき、注出回数１回を１杯とみなしている。なお、コックレバー４７が傾いている（ビールを注いでいる）時間が長い場合には、予め定めた換算テーブルなどを利用して、当該時間をビールディスペンサ４が注出するビールの注出回数（グラスの杯数）に換算してもよい。
【０１００】
また、削減電力表示モードでは、単位表示アイコンｃの「ｋＷｈ」が表示されるとともに、注出回数カウンタの値と、予め定めた数式あるいは換算テーブルとを用いて算出された削減消費電力が表示される。この削減消費電力は撹拌モータＭを停止することによる削減消費電力であるが、ビールディスペンサ４全体の消費電力の削減効果を算出するために、当該停止により撹拌モータＭからの排熱が抑制され、当該排熱による冷却水の温度上昇、蓄氷の溶融抑制、及び冷却水の撹拌減少による自然放熱抑制などに起因する、余分な電力消費の削減効果などを考慮してもよい。この表示を行うことにより、消費電力の削減効果をビールディスペンサ４の利用者などにアピールすることができる。
【０１０１】
なお、削減消費電力の演算は、コックレバー基板１のＣＰＵ１１で行ってもよく、電力制御基板２のＣＰＵ２１で行い、無線ユニット２３・１３を介してコックレバー基板１へ送られてくるようにしてもよい。
【０１０２】
一方、ボタン１６が数秒間連続して押下され続ける（長押しされる）と、ＥＥＰＲＯＭ１５に記憶されている注出回数カウンタの値がリセットされ、数値表示領域ａに０が表示される。
【０１０３】
なお、液晶ディスプレイ１４の仕様の一例を挙げれば、次のとおりである。外形寸法は、幅２２ｍｍ、高さ２７ｍｍであり、表示エリアの寸法は、幅２０ｍｍ、高さ２５ｍｍでり、有効エリアの寸法（有効表示寸法）は、幅の範囲が１４ｍｍ以上、１６ｍｍ以下、高さの範囲が１９ｍｍ以上、２１ｍｍ以下である。液晶ディスプレイ１４を保護する外装の材質はガラスである。液晶ディスプレイ１４を駆動する電圧は３．０Ｖである。液晶ディスプレイ１４の動作温度の範囲は、−１０℃以上、５０℃以下である。液晶ディスプレイ１４の保管温度の範囲は、−２０℃以上、７０℃以下である。液晶ディスプレイ１４の表示色は、背景が白色であり、数値表示領域ａと、単位表示アイコンｂと、単位表示アイコンｃと、撹拌中アイコンｄとが黒色であり、ＥＣＯモード中アイコンｅが緑色であり、電池交換アイコンｆが赤色である。
【０１０４】
（ビールディスペンサ４の特徴的構成）
以上で説明したビールディスペンサ４に関して、その特徴的構成に着目して改めて説明すれば以下のとおりである。
【０１０５】
まず、コックレバー４７は、ビールディスペンサ４のコック４６を操作するためのものであり、コックレバー４７の動きを検知する加速度センサ１２と、加速度センサ１２よる検知結果に応じた信号を外部へ出力する無線ユニット１３とを備えている。
【０１０６】
これにより、ビールディスペンサ４の本体部４０として既存のものを用いたとしても、単にレバーとしての機能しか持たない従来の一般的なコックレバーに代えてコックレバー４７を取り付けるという簡単な改造により、コック４６の操作の的確な検知を実現することができる。
【０１０７】
なお、無線ユニット１３に代えて、電気配線等の有線通信による出力手段を採用してもよいが、その場合には電気配線の取り回しが必要となるため、改造作業が複雑化したり、美観を損なったりするおそれがある。これに対して、無線ユニット１３のような無線通信による出力手段であれば、上記のような問題を回避しやすい。
【０１０８】
また、加速度センサ１２に代えて、ジャイロセンサなどの検知手段を採用してもよい。このような検知手段は、コックレバー４７に内蔵されていることが望ましいが、加速度センサ１２やジャイロセンサなどでは、それが容易に実現できる。なお、加速度センサは一般にジャイロセンサと比較して消費電力が少ない。このようにより低消費電力である加速度センサ１２は、トータルシステムでの消費電力削減策の一つとして、電池駆動のコックレバー基板１に組み込むには好適である。
【０１０９】
また、コックレバー４７が備える液晶ディスプレイ１４における注出カウント数表示モードにおける表示は、ＥＥＰＲＯＭ１５に記憶されている注出回数カウンタの値に基づくものであることから、加速度センサ１２による検知履歴に応じた表示であるといえる。
【０１１０】
この表示によりビールディスペンサ４から注出されたビールの量などを推し量ることが可能となる。その結果、ビールの残量管理や発注計画などを的確に行うことができるようになる。
【０１１１】
なお、注出回数カウンタの値に代えて、注出されている期間の累積時間をＥＥＰＲＯＭ１５に記憶させておくようにし、その累積時間に応じた値を、ビールディスペンサ４から注出されたビールの量として表示するようにしてもよい。
【０１１２】
また、電力制御基板２は、コックレバー基板１における無線ユニット１３からの信号を入力として受け付ける無線ユニット２３と、ビールディスペンサ４の電源ユニット４８から電力が入力される電力入力部２７と、電力を撹拌装置４４の撹拌モータＭへ出力する電力出力部２８と、無線ユニット２３が受け付けた信号に基づいて、電力入力部２７に入力された電力を制御して電力出力部２８から出力させる電力制御部２２とを備えている。
【０１１３】
ビールディスペンサ４に備えられる撹拌装置４４への電力供給経路に上記電力制御基板２を介在させることにより、コックレバー４７における加速度センサ１２の検知結果に応じて撹拌装置４４への電力供給を制御できるようになる。その結果、ビールディスペンサ４の消費電力の削減効果の向上を図ることができる。
【０１１４】
なお、撹拌装置４４への電力供給経路に電力制御基板２を介在させるには、次のようにすればよい。電力供給配線の途中には、撹拌装置４４の撹拌モータＭの故障時の交換を容易にするために、コネクタ（図示せず）が設けられており、当該電力供給配線を途中で切り離すことができるようになっている。そこで、そのコネクタを切り離して、電源ユニット４８側のコネクタを電力入力部２７へ接続し、撹拌モータＭ側のコネクタを電力出力部２８へ接続すればよい。また、電力供給配線の途中にコネクタが設けられていない場合でも、電力供給配線の途中を切断し、その電源ユニット４８側を電力入力部２７へ接続し、撹拌装置４４側を電力出力部２８へ接続すればよい。何れの場合も、改造作業は容易なものであり、ビールディスペンサ４のユーザによっても実行可能である。
【０１１５】
〔実施形態２〕
本発明の第二実施形態について、図８〜図９に基づいて説明すれば、以下のとおりである。なお、説明の便宜上、第一実施形態において説明した部材と同等の機能を有する部材については、同じ符号を付記し、その説明を省略する。
【０１１６】
（複数のコックレバーを備えたビールディスペンサ）
図８に示すように、本実施形態に係るビールディスペンサ４ａは、同時に３つのグラスに対してビールを注出したり、異なる種類のビールを注出できるように、ビール注出口Ｐｏｕｔ、コック４６、コックレバー４７、ビール冷却管４３をそれぞれ３個ずつ備えている。そして、各コックレバー４７は、それぞれコックレバー基板１ａ〜１ｃを備えている。一方、ビールディスペンサ４ａの本体部４０ａは、１つの電力制御基板２ａを備えている。
【０１１７】
コックレバー基板１ａ〜１ｃ及び電力制御基板２ａは、基本的には第一実施形態のコックレバー基板１及び電力制御基板２と同じ構成となっているが、無線通信が一対一の関係ではなく、三対一の関係にある点において、以下に説明する工夫が施されている。
【０１１８】
まず、コックレバー基板１ａ〜１ｃそれぞれと電力制御基板２ａとの間の各無線通信（送受信）は、互いの間で電波干渉を発生させない構成となっている。
【０１１９】
また、コックレバー基板１ａ〜１ｃそれぞれには、固有の識別子（ＩＤ）が付与されており、この識別子を示すデータが各ＥＥＰＲＯＭ１５に記憶されている。そして、各ＣＰＵ１１は、無線ユニット１３から送信させる注出開始信号及び注出終了信号に、識別子データを含ませることとしている。
【０１２０】
一方、電力制御基板２ａのＣＰＵ２１は、無線ユニット２３において受信した注出開始信号及び注出終了信号に含まれる識別子データに基づき、３つのコック４６のうちの何れにおいて注出を開始し、また注出を終了したかを判別しつつ電力制御部２２に対する制御指示を行う。具体的には、何れかのコック４６が注出を開始すると電力制御部２２へＯＮ指示を行い、全てのコック４６での注出が終了し、その後一定時間が経過するのを待って、電力制御部２２へＯＦＦ指示を行う。
【０１２１】
これにより、ビール注出口Ｐｏｕｔ、コック４６、コックレバー４７が複数備わっている場合であっても、適切な制御が可能となる。
【０１２２】
なお、ビールディスペンサ４ａが備えるコックレバーの個数は、３個に限定されるわけではなく、２個であってもよいし、４個以上であってもよい。
【０１２３】
（複数のビールディスペンサ間の混信防止）
上述した識別子を用いる無線通信は、図９に示すように複数のビールディスペンサ４ａ・４ｂを互いに近傍に設置する場合にも有効である。
【０１２４】
識別子を用いない場合には、例えば、ビールディスペンサ４ａのコックレバー基板１ａから送信された注出開始信号及び注出終了信号を、ビールディスペンサ４ｂの電力制御基板２ｂがコックレバー基板１ｂから送信されたものと誤って認識し、それに基づく誤制御を行うといった不具合が生じる。
【０１２５】
しかしながら、識別子を用いる無線通信を行うことにより、ビールディスペンサ４ｂの電力制御基板２ｂは、受信した注出開始信号及び注出終了信号がコックレバー基板１ａから送信されたものか、コックレバー基板１ｂから送信されたものかを信号に含まれる識別子データによって識別可能であるから、上記のような誤った認識や、それに基づく誤制御を回避することができるようになる。
【０１２６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２７】
本発明は、ビールなどの液体を冷却する液体ディスペンサだけでなく、利用者に提供する対象物を加熱や保温する液体ディスペンサにも利用することができる。また、本発明は、液体ディスペンサから注出される液体の残量管理や発注計画などを的確に行うシステムや、当該システムを使用したビジネスモデルにも利用することができる。
【符号の説明】
【０１２８】
１  コックレバー基板
１ａ  コックレバー基板
１ｂ  コックレバー基板
１ｃ  コックレバー基板
２  電力制御基板（電力制御装置）
２ａ  電力制御基板（電力制御装置）
２ｂ  電力制御基板（電力制御装置）
３  ビールディスペンサ制御システム（液体ディスペンサ制御システム）
４  ビールディスペンサ（液体ディスペンサ）
４ａ  ビールディスペンサ（液体ディスペンサ）
４ｂ  ビールディスペンサ（液体ディスペンサ）
１２  加速度センサ（検知手段）
１３  無線ユニット（出力手段）
１４  液晶ディスプレイ（表示手段）
２２  電力制御部（電力制御手段）
２３  無線ユニット（入力手段）
２７  電力入力部
２８  電力出力部
４１  水槽（貯蔵槽）
４２  冷凍ユニット（熱量制御装置）
４３  ビール冷却管（中空管）
４４  撹拌装置
４７  コックレバー（コック操作部材）
【図１】
2015000735.tif 000003
【図２】
2015000735.tif 000004
【図３】
2015000735.tif 000005
【図４】
2015000735.tif 000006
【図５】
2015000735.tif 000007
【図６】
2015000735.tif 000008
【図７】
2015000735.tif 000009
【図８】
2015000735.tif 000010
【図９】
2015000735.tif 000011